【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
画像形成装置において、
それぞれ互いに異なる色の像を形成する複数の画像形成部と、
複数のカートリッジを支持した状態で、前記画像形成装置の装置本体に対して移動可能な第一支持部材と、
前記第一支持部材が支持する前記複数のカートリッジとは異なるカートリッジを支持した状態で、前記第一支持部材とは独立して前記装置本体に対して移動可能な第二支持部材と、
を備え、
前記第一支持部材と前記第二支持部材とが支持する各カートリッジは、それぞれ互いに異なる画像形成部で用いられるものであって、
前記第一支持部材及び前記第二支持部材は、それぞれ前記装置本体の内側にある内側位置と、前記装置本体の外側にある外側位置とに移動するものであり、
前記第一支持部材及び前記第二支持部材は、前記外側位置に位置する状態でそれぞれが支持する各カートリッジを着脱可能とすることを特徴とする画像形成装置。
【請求項２】
画像形成装置において、
それぞれ互いに異なる色の像を形成する複数の画像形成部と、
複数のカートリッジを支持した状態で、前記画像形成装置の装置本体に対して移動可能な第一支持部材と、
前記第一支持部材が支持する前記複数のカートリッジとは異なるカートリッジを支持した状態で、前記第一支持部材とは独立して前記装置本体に対して移動可能な第二支持部材と、
前記第一支持部材と前記第二支持部材との移動を案内するガイド部材と、
を備え、
前記第一支持部材と前記第二支持部材とが支持する各カートリッジは、それぞれ互いに異なる画像形成部で用いられるものであって、
前記第一支持部材及び前記第二支持部材は、それぞれ前記装置本体の内側にある内側位置と、前記装置本体の外側にある外側位置とに移動するものであり、
前記第一支持部材により支持される複数のカートリッジは、前記第一支持部材が前記外側位置に位置し、且つ前記ガイド部材により支持された状態で、着脱可能に前記第一支持部に支持され、
前記第二支持部材により支持される前記カートリッジは、前記第二支持部材が前記外側位置に位置し、且つ前記ガイド部材により支持された状態で、着脱可能に前記第二支持部に支持され、
前記ガイド部材は、前記第一支持部材の前記外側位置と前記内側位置との間の移動を案内する第一ガイド部材と、前記第二支持部材の前記外側位置と前記内側位置との間の移動を案内する第二ガイド部材とを有することを特徴とする画像形成装置。
【請求項３】
前記複数の画像形成部は、それぞれ像を担持する像担持体を有するものであって、
前記第一支持部材と前記第二支持部材とは、それぞれ前記像担持体の長手方向と直交する方向に沿って前記内側位置と前記外側位置との間を移動することを特徴とする請求項１または請求項２に記載の画像形成装置。
【請求項４】
前記第二支持部材は、前記内側位置にある際に前記第一支持部材の移動軌跡上に配置されていることを特徴とする請求項１〜３のいずれか１項に記載の画像形成装置。
【請求項５】
前記第一支持部材が前記内側位置から前記外側位置へと移動する移動方向において、前記第二支持部材は、前記第一支持部材よりも下流側に配置されることを特徴とする請求項１〜４のいずれか１項に記載の画像形成装置。
【請求項６】
前記第一支持部材を前記外側位置へと移動するために、前記第二支持部材を前記外側位置へと移動させる必要があることを特徴とする請求項１〜５のいずれか１項に記載の画像形成装置。
【請求項７】
前記複数の画像形成部は、それぞれ像を担持する像担持体を有するものであって、
前記第一支持部材と前記第二支持部材とは、それぞれ前記像担持体の長手方向に沿って前記内側位置と前記外側位置との間を移動することを特徴とする請求項１または請求項２に記載の画像形成装置。
【請求項８】
前記画像形成装置は、前記複数の画像形成部のうちの一つのみで画像を形成するモノモードを実行可能であって、
前記第二支持部材に支持されるカートリッジは、前記モノモードで画像を形成する画像形成部において用いられることを特徴とする請求項１〜７のいずれか１項に記載の画像形成装置。
【請求項９】
前記第二支持部材に支持されるカートリッジは、ブラックの画像を形成する画像形成部で用いられることを特徴とする請求項１〜８のいずれか１項に記載の画像形成装置。
【請求項１０】
前記第一支持部材に支持される前記複数のカートリッジは、それぞれイエロー、マゼンタ、シアンの画像を形成する画像形成部で用いられることを特徴とする請求項１〜９のいずれか１項に記載の画像形成装置。
【請求項１１】
前記第二支持部材によって支持されるカートリッジは、一つのみであることを特徴とする請求項１〜１０のいずれか１項に記載の画像形成装置。
【請求項１２】
前記第二支持部材は、複数のカートリッジを支持するものであって、
前記第二支持部材が支持するカートリッジの数は、前記第一支持部材が支持するカートリッジの数と同数か、それよりも少ないことを特徴とする請求項１〜１０のいずれか１項に記載の画像形成装置。
【請求項１３】
前記第一支持部材と前記第二支持部材とが支持する各カートリッジは、それぞれ像を担持する像担持体を有することを特徴とする請求項１〜１２のいずれか１項に記載の画像形成装置。
【請求項１４】
前記第一支持部材と前記第二支持部材とが支持する各カートリッジは、それぞれ潜像を現像する現像剤担持体を有することを特徴とする請求項１〜１３のいずれか１項に記載の画像形成装置。
【請求項１５】
前記第一支持部材と前記第二支持部材とが支持する各カートリッジは、それぞれ互いに異なる色の現像剤を収容することを特徴とする請求項１〜１４のいずれか１項に記載の画像形成装置。
【請求項１６】
画像形成装置において、
それぞれが像を担持する像担持体を有し、それぞれ互いに異なる色の像を形成する複数の画像形成部と、
カートリッジを支持した状態で、前記画像形成装置の装置本体に対して移動可能な第一支持部材と、
前記第一支持部材が支持する前記カートリッジとは異なるカートリッジを支持した状態で、前記第一支持部材とは独立して前記装置本体に対して移動可能な第二支持部材と、
を備え、
前記第一支持部材と前記第二支持部材とが支持する各カートリッジは、それぞれ互いに異なる画像形成部で用いられるものであって、
前記第一支持部材及び前記第二支持部材は、それぞれ前記装置本体の内側にある内側位置と、前記装置本体の外側にある外側位置とに前記像担持体の長手方向と直交する方向に沿って移動するものであり、
前記第一支持部材及び前記第二支持部材は、前記外側位置に位置する状態でそれぞれが支持する各カートリッジを着脱可能とすることを特徴とする画像形成装置。
【請求項１７】
前記第二支持部材は、前記内側位置にある際に前記第一支持部材の移動軌跡上に配置されていることを特徴とする請求項１６に記載の画像形成装置。
【請求項１８】
前記第一支持部材が前記内側位置から前記外側位置へと移動する移動方向において、前記第二支持部材は、前記第一支持部材よりも下流側に配置されることを特徴とする請求項１６または請求項１７に記載の画像形成装置。
【請求項１９】
前記第一支持部材を前記外側位置へと移動するために、前記第二支持部材を前記外側位置へと移動させる必要があることを特徴とする請求項１６〜１８のいずれか１項に記載の画像形成装置。